(57)【要約】【課題】  運行管理制御データ作成装置で作成した運行管理制御データを人手で運行管理システムに登録しているため、登録する装置の誤りや最新でないバージョンのデータの登録、および登録工数が大きいといった問題があった。【解決手段】  連動図表を作成時に出力される略図ファイルや連動データベースを使用し、運行管理の制御条件を作成するために使用する路線図ファイルを自動作成する手段を設け、合わせて運行管理の制御条件を作成する手段を具備し、同手段が連動データと路線図ファイルを使用することで運行管理制御データを自動作成することで人間の試行錯誤を低減させる。また、運行管理制御データのバージョンを管理し、かつ運行管理システムを構成する各装置に運行管理制御データを配信する手段を具備することにより、上記課題の登録先装置の誤りや作業工数の低減を実現するものである。【選択図】        図１
2007038785.tif 000002
【特許請求の範囲】
【請求項１】
運行管理制御データを作成する手段を具備した運行管理制御データ作成装置と、運行管理システムに関する動作状況を記憶する運行管理サーバと、連動装置からの信号設備の情報と列車運行計画を基に信号設備の制御情報を作成する中央処理装置と、列車の運行状況のモニタや中央処理装置で作成した信号機への制御情報のモニタおよび列車の運行計画の変更を行なう指令装置と、運行表示盤へ表示する表示データを作成する表示制御装置と、上記表示データを表示する運行表示盤と、連動装置と運行管理システムのインタフェース装置である連動インタフェース装置とを備えた運行管理システムにおいて、運行管理制御データ作成装置で作成された運行管理制御データより、運行管理システムに関る装置が使用するデータを作成する手段を備えたことを特徴とする運行管理システム。
【請求項２】
請求項１記載の運行管理システムにおいて、運行管理サーバで作成した運行管理システムに関る装置が使用するデータを各装置に登録する手段とそのバージョン管理を実施する手段を備えたことを特徴とする運行管理システム。
【請求項３】
請求項２記載の運行管理システムにおいて、運行管理システムの各装置が使用するデータを出力装置に出力する手段を備えたことを特徴とする運行管理システム。
【発明の詳細な説明】
【技術分野】
【０００１】
本発明は、信号設備の制御を行なう連動装置および乗客へ列車運行情報を提供する旅客案内装置に対し、列車の運行計画に基づき制御情報を出力する列車運行管理システムに関するもので、特に、運行管理システムで使用する路線条件や監視条件を連動表および連動図をもとに作成する運行管理制御データ作成機能、および運行管理制御データの自動登録に関するものである。
【背景技術】
【０００２】
駅や車庫などで列車の進路を安全に確保するために信号設備の制御を行なう連動装置が使用され、この連動装置は信号設備条件を規定した連動図表を基に設計される。従来の運行管理システムでは連動図表を基に運行管理データを人手で作成していた。
【０００３】
昨今では、連動図表を連動図表作成装置で自動作成し、その自動作成されたデータ（連動データベース）を基に運行管理制御データを作成する路線図作成装置が実現されている。
特許文献１には、連動図表を連動図表作成装置で自動作成する路線図作成装置が記載されている。上記路線図作成装置のハードウェア構成と概略処理フローを図３及び図４に示す。
【０００４】
図３において、情報処理装置は、略図の作成を制御する略図作成機能と作成した略図を連結して路線図を作成する路線図作成機能とを備えており、図４の処理フローでは、路線図をＡ駅区間，Ｂ駅区間，Ｃ駅区間の３区間に分割して、利用者がＡ駅の略図を作成すると、その略図をＡ駅略図ファイルとして保存し、以下同様にＢ駅の略図を作成してＢ駅略図ファイルとして保存し、Ｃ駅の略図を作成してＣ駅略図ファイルとして保存し、その後、利用者が路線図作成を指示する指示入力を行うと、本装置は、上記３つのファイルを連結して路線図を表示し、路線図ファイルとして保存する。
【特許文献１】特開２００３−２２０９５１号公報
【発明の開示】
【発明が解決しようとする課題】
【０００５】
しかし、従来は、この運行管理制御データ作成装置で作成した運行管理制御データを人手で運行管理システムに登録しているため、登録する装置の誤りや最新でないバージョンのデータの登録、および登録工数が大きいといった問題点があった。
【課題を解決するための手段】
【０００６】
本発明は、連動図表を作成時に出力される略図ファイルや連動データベースを使用し、運行管理の制御条件を作成するために使用する路線図ファイルを自動作成する手段を設け、合わせて運行管理の制御条件を作成する手段を具備し、同手段が上記連動データベースと路線図ファイルを使用することで運行管理制御データベースを自動作成することで人間の試行錯誤を低減させる。
【０００７】
また、運行管理制御データベースのバージョンを管理し、また運行管理システムを構成する各装置に運行管理制御データを配信する手段を具備することにより、上記課題の登録先装置の誤りや作業工数の低減を実現するものである。
【発明の効果】
【０００８】
本発明では、運行管理制御データ作成装置で作成した運行管理制御データを基に、運行管理システムを構成する装置で使用するデータを運行管理サーバにおいて自動作成し、かつデータの各装置への登録およびバージョン管理を実施する手段を具備しているため、登録する装置の誤りや最新でないバージョンのデータの登録、および登録工数を大幅に削減できる。
【発明を実施するための最良の形態】
【０００９】
以下、図面に基づいて、本発明の実施の形態を説明する。
【実施例１】
【００１０】
本発明の第１の実施例の概要を図１に示す。この運行管理システムは、運行管理制御データ１２４を運行管理サーバ１０５に格納し、バージョン管理および各装置への運行管理制御情報の配布を行う実施例を示している。
【００１１】
中央処理装置１０１は、運行管理サーバ１０５で作成された制御条件データ１２１を使用し、列車の運行計画に従って信号設備の制御データを作成し連動インタフェース装置１０６へ制御データを送信するとともに、路線内の列車位置情報を運行管理ＬＡＮ１１４に送信する手段を具備している。
指令装置１０２は、表示条件データ１２２に従い、列車の運行状況のモニタ、連動装置１０８〜１１０から送信される信号設備の動作状態のモニタ、中央処理装置１０１から連動装置１０８〜１１０へ送信される制御データのモニタおよび列車運行計画の変更などを実施する手段を具備している。
表示制御装置１０３は、運行表示条件データ１２３に従い、中央処理装置１０１から送信される路線内の列車位置情報および連動装置１０８〜１１０から送信される信号設備の動作状態情報より運行表示盤データを作成する手段を具備している。
運行表示盤１０４は、表示制御装置１０３で作成した運行表示盤データを基に路線内の運行状況を表示する手段を具備している。
運行管理サーバ１０５は、運行管理制御データ作成装置１０７により作成された運行管理制御データ１２４を格納し、その運行管理制御データ１２４から運行管理システムに接続されている装置が必要とするフォーマットのデータ（制御条件データ１２１、表示条件データ１２２、運行表示条件データ１２３）を作成する手段１３１、および運行管理サーバ１０５は、作成したデータのバージョン管理と各装置に送信したデータのバージョンを管理する手段１３２を具備している。
【００１２】
連動インタフェース装置１０６は、中央処理装置１０１と連動装置１０８、１０９、１１０との間のインタフェース装置であり、中央処理装置１０１からの制御データ、連動装置１０８，１０９，１１０からの信号設備データを各々のシステムへ送信する手段を具備している。
【００１３】
運行管理制御データ作成装置１０７は、連動図表を作成時に出力される略図ファイルや連動データを駅の配置順に連結して、運行管理制御データ１２４を作成するために使用する路線図ファイルを自動作成する手段を具備し、合わせて、運行管理制御データ１２４を作成する手段を具備している。
【００１４】
連動装置１０８、１０９、１１０は、各駅の信号設備の条件をデータ化した連動データ１２５、１２６、１２７を基に、信号機および転てつ器などの信号設備を制御する制御データを作成し、その制御データを信号ＬＡＮ１１５を介し現場機器インタフェース装置へ送信する。安全な列車運行を確保するための保安装置である。
【００１５】
現場機器インタフェース装置１１１，１１２，１１３は、信号機や転てつ器などと接続され、連動装置１０８、１０９、１１０からの制御データを基に各々の機器を制御する。また、各々の現場機器の状態を、信号ＬＡＮ１１５を介し連動装置１１１，１１２，１１３へ送信する。
信号ＬＡＮ１１５は、連動装置１０８、１０９、１１０と現場機器インタフェース装置１１１、１１２、１１３を結ぶネットワークである。
【００１６】
第１の実施例の運行管理システムでは、運行管理制御データ作成装置１０７により運行管理制御データ１２４を作成し、作成された運行管理制御データ１２４を運行管理サーバ１０６へ運行管理ＬＡＮ１１４を介し送信する。
【００１７】
運行管理サーバ１０５は、運行管理システムに接続されている装置が必要とするフォーマットのデータ（制御条件データ１２１、表示条件データ１２２、運行表示条件データ１２３）を作成する手段１３１を具備し、また、作成したデータのバージョン管理と各装置に送信したデータのバージョンを管理する手段１３２を具備している。中央処理装置１０１、指令装置１０２、表示制御装置１０３は、各々使用する制御データ１２１、表示条件データ１２２、運行表示条件データ１２３を受信し、自装置内に登録する手段を具備している。
【００１８】
これにより、運行管理制御データ作成装置１０７で作成した運行管理制御データ１２４を、運行管理サーバ１０５で中央処理装置１０１、指令装置１０２、表示制御装置１０３で使用できるデータ変換（作成）し、そのデータを運行管理ＬＡＮ１１４を介し中央処理装置１０１、指令装置１０２、表示制御装置１０３に送信し、各々の装置でデータを登録、使用することにより、列車運行計画に従った信号設備の制御が実施できる。
【実施例２】
【００１９】
本発明の第２の実施例の概要を図２に示す。この運行管理システムでは、運行管理サーバ１０５は、前記の制御条件データ１２１と表示条件データ１２２と運行表示条件データ１２３と運行管理制御データ１２４と、制御条件データ１２１と表示条件データ１２２および運行表示条件データ１２３を作成する手段１３１と制御条件データ１２１と表示条件データ１２２および運行表示条件データ１２３と運行管理制御データ１２４のバージョンを管理する手段１３２と出力装置への出力手段２０１および出力装置２０２から成る。
【００２０】
出力手段２０１により出力装置２０２へ、制御条件データ１２１と表示条件データ１２２と運行表示条件データ１２３と運行管理制御データ１２４と各々のデータのバージョン情報および各装置へ登録したデータのバージョン情報を出力することができる。
【図面の簡単な説明】
【００２１】
【図１】本発明による運行管理システム構成図（実施例１）。
【図２】出力装置への各種情報出力を説明する図（実施例２）。
【図３】従来の路線図作成装置のハードウェア構成を示す図。
【図４】従来の路線図作成装置の概略処理フローを示す図。
【符号の説明】
【００２２】
１０１    信号機への制御情報および列車の運行情報を作成する中央処理装置
１０２    列車の運行状況のモニタや１０１で作成した信号機への盛業情報のモニタおよび列車の運行計画の変更を行なう指令装置
１０３    運行表示盤１０５へ表示する表示データを作成する表示制御装置
１０４    列車の運行状況を表示する運行表示盤
１０５    運行管理システムに関する動作状況を記憶する運行管理サーバ
１０６    連動装置と運行管理システムのインタフェース装置である連動インタフェース装置
１０７    運行管理システムで使用する各種データを作成する運行管理制御データ作成装置
１０８、１０９、１１０    列車運行の保安を司る連動装置
１１１、１１２、１１３    信号機や転てつ器などの設備とのインタフェース装置である現場機器インタフェース装置
１１４    運行管理システム内の装置を結ぶ運行管理ＬＡＮ
１１５    信号システム内の各装置を結ぶ信号ＬＡＮ
１２１    信号機の制御条件を記録した制御条件データ
１２２    各種情報の表示条件を記録した表示条件データ
１２３    運行表示盤へ表示条件を記録した運行表示条件データ
１２４    運行管理システムで使用するデータを記録した運行管理制御データ
１２５、１２６、１２７    連動装置が現場機器を制御するための制御条件を記録した連動データ
１３１    制御条件データ１２１と表示条件データ１２２および運行表示条件データ１２３を作成する手段
１３２    制御条件データ１２１と表示条件データ１２２および運行表示条件データ１２３と運行管理制御データ１２４のバージョン管理手段
【図１】
2007038785.tif 000003
【図２】
2007038785.tif 000004
【図３】
2007038785.tif 000005
【図４】
2007038785.tif 000006